(57)【要約】【課題】  デジタルカメラで撮影した画像データを記憶し、記憶した画像データの撮影ポイントや、移動したルートを容易に把握できる画像記憶装置を構成する。【解決手段】  装置本体１の内部に、ＧＰＳ衛星からの電波をアンテナ部４で受信して位置データを取得する位置取得手段５と、記憶メディアＭｓから画像データを取得する半導体ドライブ６と、データを記憶し、かつ、データを処理する処理ユニットＡとを備えて画像記憶装置を構成する。この画像記憶装置は、半導体ドライブ６で取得した画像データと位置データとをリンクデータで関連付ける処理を行い、このように関連付けした画像データと地図データとをパーソナルコンピュータ３１に転送し、パーソナルコンピュータ３１においてディスプレイ３５に装置の移動をシミュレーションし、撮影ポイント毎に画像データを表示する処理を実現する。【選択図】        図１
2006085588.tif 000002
【特許請求の範囲】
【請求項１】
デジタルカメラで撮影された画像データを取得する画像データ取得部と、データを記憶するデータ記憶部と、前記画像データ取得部で取得した画像データを前記データ記憶部に記憶する処理ユニットとを備えている画像記憶装置であって、
位置データを取得する位置取得手段と、この位置取得手段で取得した位置データの存在位置を示す地図データを記憶する地図データ記憶部と、前記データ記憶部に記憶したデータを送り出す出力部とを携帯可能なサイズの装置本体に備えると共に、
前記処理ユニットは、前記位置取得手段によって継続的に位置データを取得して前記データ記憶部に記憶する位置データ記憶処理と、前記画像データ取得手段で取得した画像データを前記データ記憶部に記憶する画像データ記憶処理と、前記位置データに前記画像データを関連付けるリンクデータを生成するリンクデータ生成処理と、このリンクデータを前記データ記憶部に記憶するリンクデータ記憶処理とを行い、
前記処理ユニットは、前記データ記憶部に記憶した前記位置データと、この位置データの存在位置を示す地図データと、位置データに関連付けられた前記画像データとを前記出力部から出力する出力処理を行うよう構成されている画像記憶装置。
【請求項２】
前記リンクデータ生成処理を行うリンク処理手段を備え、このリンク処理手段は、前記位置データを取得した取得日時を特定するタイミングデータと、前記画像データに付随する撮影日時データとを対比させ、一致するもの又は近似するもの同士を関連付ける前記リンクデータを生成するよう処理形態が設定されている請求項１記載の画像記憶装置。
【請求項３】
前記装置本体に表示部を備え、前記処理ユニットは、前記位置データに対応する前記地図データと、前記位置データに関連付けられた画像データとを前記表示部に表示する表示処理を行うよう構成されている請求項１又は２記載の画像記憶装置。
【請求項４】
前記位置取得手段が、複数の人工衛星からの電波を受信することにより前記位置データを取得するＧＰＳユニットを用いて構成されている請求項１〜３のいずれか１項に記載の画像記憶装置。
【請求項５】
前記位置取得手段が、複数の人工衛星からの電波を受信することにより前記位置データを取得するＧＰＳユニットを用いて構成され、このＧＰＳユニットは位置データとともに、その位置データを取得した日時を前記タイミングデータとして記憶するよう構成され、
前記リンク処理手段は、前記撮影日時データとして、デジタルカメラで撮影された画像データに付随するＥｘｉｆデータに含まれる撮影日時データを用い、この撮影日時データと、前記タイミングデータとが一致するもの同士又は近似するものを関連付ける自動リンクモードでの処理、及び、同じデジタルカメラで撮影された画像データに付随するＥｘｉｆデータに含まれる全ての撮影日時データを等しい値だけシフトし、このシフト後の撮影日時データと、タイミングデータとの関連付けを行う補正リンクモードでの処理を行えるよう構成されている請求項２記載の画像記憶装置。
【請求項６】
前記画像データ取得部が、前記デジタルカメラで使用される記憶メディアから画像データを取得できるよう構成され、
前記処理ユニットは、前記画像データ取得部に前記記憶メディアがセットされたことを判別した場合には、その記憶メディアに記録されている複数の画像データの識別を行い、前記データ記憶部に既に記憶されているものを除いた画像データを前記データ記憶部に記憶するよう処理形態が設定されている請求項１〜５のいずれか１項に記載の画像記憶装置。
【発明の詳細な説明】
【技術分野】
【０００１】
本発明は、デジタルカメラで撮影された画像データを取得する画像データ取得部と、データを記憶するデータ記憶部と、前記画像データ取得部で取得した画像データを前記データ記憶部に記憶する処理ユニットとを備えている画像記憶装置に関し、詳しくは、携帯可能なサイズに構成された装置に関する。
【背景技術】
【０００２】
上記のように構成された画像保存装置に関連するものとして、本体内に音楽、画像などのコンテンツを記憶するためのコンテンツデータ記憶部を内蔵し、外部装置からコンテンツデータ（主として音楽）を取得して記憶し、この記憶の後には、制御部（本発明の処理ユニット）がコンテンツデータの再生を行う携帯型のコンテンツ再生装置が存在する（例えば、特許文献１参照）。この特許文献１には、コンテンツデータとして動画や静止画を取得しても良い点が記載されている。
【０００３】
【特許文献１】特開２００３‐２８１１６９号公報  （段落番号〔００１１〕〜〔００４８〕、図１、図２）
【発明の開示】
【発明が解決しようとする課題】
【０００４】
近年市販されているデジタルカメラでは５００万画素数の画像データで撮影可能なものが一般化しつつある反面、デジタルカメラにおいて画像データを記憶するためのフラッシュメモリ類はまだまだ高価であり、撮影可能なコマ数が制限されることもある。このような不都合を考えた場合、特許文献１に記載される装置に対して、デジタルカメラで撮影した画像データを適宜保存することにより、デジタルカメラに備えたフラッシュメモリ等のメディアの画像データを消去し、多くの画像データの撮影も可能になる。
【０００５】
デジタルカメラの高性能化、低価格化に従って、デジタルカメラを観光旅行に携行し、例えば、観光地でスナップ写真を撮影することや、記念写真を撮影する機会が増大している。ハイキングやトレッキングのように、徒歩で山野を移動して風景を楽しむ場合にもデジタルカメラを携行し、風景等を撮影することも多い。また、ハイキングやトレッキングでは、山野を撮影することや、山野を背景にしてスナップ写真を撮影することが多い。しかしながら、このように山野を主体として撮影された画像データは、観光地とは異なり特徴的な被写体が少なく、撮影された画像データから撮影ポイントを正確に求めることが困難なことも多い。
【０００６】
トレッキングに限らず観光旅行においても撮影した画像データは印画紙等にプリントし、アルバムとして保存することが理想である。しかしながら、デジタルカメラで撮影した画像データは家庭用のコンピュータにおいて、例えば、スライドショーのように簡単に表示できることから、画像データを一般家庭のパーソナルコンピュータで観賞し、この後には顧みられていないことも多かった。このようにパーソナルコンピュータにおいてスライドショーの形態で画像データを表示する場合には、例えば、撮影された順序で画像データが切り換わるだけであるので、撮影ポイントや、徒歩で移動したルートを把握できないのが普通であり、改善が望まれている。
【０００７】
このような不都合を解消するためには、最近開発されつつある、ＧＰＳ（ Global Positioning System ） 機能を有したデジタルカメラを用い、ＧＰＳ機能を活かして撮影ポイントを明確にすることも考えられる。しかしながら、ＧＰＳ機能を備えたデジタルカメラはＧＰＳ機能を備えていないものより高価格であり、しかも、ＧＰＳ機能による位置データから撮影ポイントを明確にする処理を考えた場合には、位置データを地図データ上に表示する処理を実現する技術も提案されているが、この技術を用いた場合でも、個々の画像データと、その画像データを撮影した撮影ポイントを地図データ上に表示するだけであるので、例えば、複数の撮影ポイントと、夫々の撮影ポイントで撮影した複数の画像データとを時間経過を考慮して関連付けるためには何らかの人為的な編集処理を必要とするものとなり、手間の面で改善の余地がある。
【０００８】
このような現実面を考え併せると、ＧＰＳ機能を備えていないデジタルカメラで撮影した画像データを、例えば、パーソナルコンピュータで表示した場合でも、編集等の特別な操作を行わずとも、その画像データが撮影された撮影ポイントを簡便に把握できる装置が望まれる。
【０００９】
本発明の目的は、デジタルカメラで撮影した画像データを記憶し、記憶した画像データの撮影ポイントや、移動したルートを容易に把握できる状態で画像データの処理が可能な記憶装置を合理的に構成する点にある。
【課題を解決するための手段】
【００１０】
本発明の特徴は、デジタルカメラで撮影された画像データを取得する画像データ取得部と、データを記憶するデータ記憶部と、前記画像データ取得部で取得した画像データを前記データ記憶部に記憶する処理ユニットとを備えている画像記憶装置であって、
位置データを取得する位置取得手段と、この位置取得手段で取得した位置データの存在位置を示す地図データを記憶する地図データ記憶部と、前記データ記憶部に記憶したデータを送り出す出力部とを携帯可能なサイズの装置本体に備えると共に、
前記処理ユニットは、前記位置取得手段によって継続的に位置データを取得して前記データ記憶部に記憶する位置データ記憶処理と、前記画像データ取得手段で取得した画像データを前記データ記憶部に記憶する画像データ記憶処理と、前記位置データに前記画像データを関連付けるリンクデータを生成するリンクデータ生成処理と、このリンクデータを前記データ記憶部に記憶するリンクデータ記憶処理とを行い、
前記処理ユニットは、前記データ記憶部に記憶した前記位置データと、この位置データの存在位置を示す地図データと、位置データに関連付けられた前記画像データとを前記出力部から出力する出力処理を行うよう構成している点にある。
【００１１】
この構成によると、位置データ記憶処理によって位置データ取得手段で取得した位置データを継続的にデータ記憶部に記憶し、画像データ取得部で画像データを取得した場合には、画像データ記憶処理によって画像データを記憶部に記憶し、リンクデータ生成処理によって前記位置データと画像データとを関連付けてリンクデータを生成し、リンクデータ記憶処理によってリンクデータがデータ記憶部に記憶される。このようにデータが記憶された後には、出力処理によってデータ記憶部に記憶されている位置データ、画像データ、リンクデータ夫々、及び、前記地図データ記憶部に記憶されている地図データを出力することが可能となる。つまり、本発明によると、画像データを取得した場合には、その画像データを撮影した撮影ポイントを示すデータとして位置データと関連付けることが可能となるばかりでなく、これらのデータと、撮影ポイントの存在位置を示す地図データとを出力できるので、例えば、出力されたデータをパーソナルコンピュータで表示させた場合には、画像データを撮影した撮影ポイントや、複数の位置データ（継続的に取得した複数の位置データ）からルートを生成し、これらを地図やイラスト等の地図データによって把握することも可能となる。その結果、デジタルカメラで撮影した画像データの保存を行い、保存した画像データの撮影ポイントや、移動したルートを視覚的に容易に把握できる状態で画像データとして出力が可能な画像記憶装置が合理的に構成された。
【００１２】
本発明は、前記リンクデータ生成処理を行うリンク処理手段を備え、このリンク処理手段は、前記位置データを取得した取得日時を特定するタイミングデータと、前記画像データに付随する撮影日時データとを対比させ、一致するもの又は近似するもの同士を関連付ける前記リンクデータを生成するよう処理形態を設定しても良い。
【００１３】
この構成により、画像データを取得した場合には、リンク処理手段が、位置データに対して自動的に関連付けることも可能となり、オペレータが特別の編集を行う等の手間を省くことが可能となる。
【００１４】
本発明は、前記装置本体に表示部を備え、前記処理ユニットは、前記位置データに対応する前記地図データと、前記位置データに関連付けられた画像データとを前記表示部に表示する表示処理を行うよう構成しても良い。
【００１５】
この構成により、装置本体の表示部に対して、地図データとして、精密な地図データやイラストや観光マップのような概略的な地図データと関連付けて画像データを表示でき、装置に記憶した画像データの撮影ポイントを確認することも可能となる。
【００１６】
本発明は、前記位置取得手段が、複数の人工衛星からの電波を受信することにより前記位置データを取得するＧＰＳユニットを用いて構成しても良い。
【００１７】
この構成により、精度の良い位置データを取得して、撮影ポイントの精度を高めることが可能となる。
【００１８】
本発明は、前記位置取得手段が、複数の人工衛星からの電波を受信することにより前記位置データを取得するＧＰＳユニットを用いて構成され、このＧＰＳユニットは位置データとともに、その位置データを取得した日時を前記タイミングデータとして記憶するよう構成され、
前記リンク処理手段は、前記撮影日時データとして、デジタルカメラで撮影された画像データに付随するＥｘｉｆデータに含まれる撮影日時データを用い、この撮影日時データと、前記タイミングデータとが一致するもの同士又は近似するものを関連付ける自動リンクモードでの処理、及び、同じデジタルカメラで撮影された画像データに付随するＥｘｉｆデータに含まれる全ての撮影日時データを等しい値だけシフトし、このシフト後の撮影日時データと、タイミングデータとの関連付けを行う補正リンクモードでの処理を行えるよう構成しても良い。
【００１９】
この構成により、精度の良い位置データを取得して、撮影ポイントの精度を高めることが可能となるばかりでなく、このＧＰＳユニットが生成するタイミングデータと、デジタルカメラで撮影した画像データに付随するＥｘｉｆデータに含まれる撮影日時データとに基づき、位置データと画像データとを自動的に精度高く関連付けることが可能となり、また、例えば、デジタルカメラに備えられた時計と、タイミングデータとの間に時間的なズレが存在する場合でも、Ｅｘｉｆデータに含まれる全ての撮影日時データを等しく時間的なズレに対応した時間だけシフトすることにより、位置データと画像データとを適正なタイミングで関連付けることが可能となる。
【００２０】
本発明は、前記画像データ取得部が、前記デジタルカメラで使用される記憶メディアから画像データを取得できるよう構成され、
前記処理ユニットは、前記画像データ取得部に前記記憶メディアがセットされたことを判別した場合には、その記憶メディアに記録されている複数の画像データの識別を行い、前記データ記憶部に既に記憶されているものを除いた画像データを前記データ記憶部に記憶するよう処理形態が設定しても良い。
【００２１】
この構成により、複数の画像データを記憶する場合でも、同じ画像データを重複して記憶する不都合を解消し、必要とする画像データを確実に記憶できるものとなる。
【発明を実施するための最良の形態】
【００２２】
以下、本発明の実施形態を図面に基づいて説明する。
図１に示すように、携帯可能なサイズの装置本体１の前面に複数の操作スイッチ２と、液晶表示部３（表示部の一例）とを備えると共に、該装置本体１の内部にＧＰＳ衛星からの電波を受信するアンテナ部４と、このアンテナ部４で受信した電波から位置データを取得するＧＰＳユニットで成る位置取得手段５と、半導体メディアＭｓに記憶された画像データを取得する画像データ取得部としての半導体ドライブ６と、データを処理する処理ユニットＡとを備え、また、装置本体１の外面にデータを送り出す出力部としての出力端子７を備えて画像記憶装置が構成されている。
【００２３】
この画像記憶装置は、前記位置取得手段５で取得した位置データに対応する地図データを前記液晶表示部３に表示すると同時に、本装置が存在する位置を地図データ上に表示する機能を具備している。また、この画像記憶装置は、前記位置取得手段５で位置データを継続的に取得して保存しておき、デジタルカメラ２１で撮影した画像データを保存したフラッシュメモリ等の半導体型の記憶メディアＭｓを前記半導体ドライブ６にセットした場合には、その記憶メディアＭｓに記憶されている画像データを自動的に取得し、前記位置データに関連付け、所定の操作を行うことにより、液晶表示部３に地図データを表示し、この地図データ上に該装置が移動したルートを表示し、更に、ルート上の撮影ポイント毎に画像データを表示する機能を具備している。
【００２４】
更に、この画像記憶装置は、前記出力端子７とパーソナルコンピュータ３１の入力端子（図示せず）とをＵＳＢ（ Universal Serial Bus ）規格やＩＥＥＥ１３９４規格等のケーブル２５で接続し、所定の操作を行うことにより、位置データと、画像データと、リンクデータと、地図データと、シミュレーションプログラムとを出力端子７からパーソナルコンピュータ３１に転送できるようにも構成されている。
【００２５】
因みに、デジタルカメラ２１で撮影した画像データを、画像記憶装置において記憶する場合には、前述した半導体メディアＭｓを用いる他に、ＵＳＢ（ Universal Serial Bus ）規格やＩＥＥＥ１３９４規格等のケーブルで接続することや、Bluetooth （IBM社、Intel社、Nokia社、東芝社等が提唱している無線通信技術）のように無線通信によって画像データを転送しても良く、これらの技術を用いた場合には、その技術によって画像データを転送する手段で本発明の画像データ取得部が構成される。
【００２６】
図１に示すように、パーソナルコンピュータ３１は、キーボード３２と、トラックパッド３３と、ディスクドライブ３４とを本体に備え、液晶型のディスプレイ３５を備えた一般的な構成を具備している。また、このパーソナルコンピュータ３１は、前述のように位置データと、画像データと、リンクデータと、地図データと、シミュレーションプログラムとが転送された場合には、シミュレーションプログラムを実行することにより、パーソナルコンピュータ３１のディスプレイ３５に地図データを表示し、この地図データ上に前記画像記憶装置が移動したルートとを重ね合わせる形態で表示すると共に、このルート上を装置のシンボルが移動する状態をシミュレートし、このシンボルが撮影ポイントに達する毎に、その撮影ポイントで撮影された画像データを自動的に表示する処理が実行され、また、必要な場合には、ディスプレイ３５に表示された画像データを指定してプリンタ４１でプリントペーパー４２にプリントすることが可能で、更に、パーソナルコンピュータ３１のディスクドライブ３４にセットしたＤＶＤ−Ｒ等の記憶メディアＭｄに対して、位置データと、画像データと、リンクデータと、地図データと、シミュレーションプログラムとを保存することも可能に構成されている。
【００２７】
図２のように画像記憶装置の構成の概要を示すことが可能である。つまり、前記処理ユニットＡはマイクロプロセッサ（ＣＰＵ）への情報のアクセスを実現する入出力インタフェース１０を備えており、この入出力インタフェース１０に対して位置取得手段５、前記液晶表示部３、前記操作スイッチ２、前記半導体ドライブ６、出力端子７、及び、ハードディスクで構成された記憶部１１（データ記憶部、地図データ記憶部の一例）夫々との間でデータのアクセスが可能な信号系を備えている。
【００２８】
前記処理ユニットＡは、マイクロプロセッサ（ＣＰＵ）からのデータバスに接続する半導体メモリＲＡＭ／ＲＯＭ、不揮発性メモリＥＥＰＲＯＭを備えると共に、マップマッチング手段１２、ナビゲーション手段１３、ルート記憶手段１４、画像データ記憶手段１５、リンク処理手段１６、転送制御手段１７を備えている。因みに、この処理ユニットＡにおいて制御を実現するためにはデータバスの他にコントロールバスやアドレスバス等を必要とするものであるが、複雑化を避けるために図面にはコントロールバスやアドレスバス、あるいは、インタフェース類を示していない。
【００２９】
前記位置取得手段５は、前記アンテナ部４で受信した複数のＧＰＳ衛星からの電波を取り込むことによりリアルタイムで該画像記憶装置の位置データ（経度・緯度のデータ）と、この位置データを取得した時刻をタイミングデータとして取得するよう機能する。尚、この位置取得手段５は、地上の複数の電波発信源からの電波によって位置情報を取得するものであって良く、地上の発信源からの電波を併用することにより位置情報の精度を高めるものであっても良い。
【００３０】
前記記憶部１１は、前記位置取得手段５で取得した複数の位置データを位置データ用のフォルダに記憶し、複数種の縮尺となる地図データを地図データ用のフォルダに記憶し、複数の画像データを画像データ用のフォルダに記憶し、複数のリンクデータをリンクデータ用のフォルダに記憶する。尚、地図データ用のフォルダは予めセットされた地図データを保存するものでありデータベースとして用いられる。
【００３１】
前記マップマッチング手段１２は、前記位置取得手段５で取得した位置データに対応する地図データのうち、予め設定された縮尺の地図データを前記記憶部１１から抽出して液晶表示部３に対して表示し、この地図データ上に図８に示す如く、この画像記憶装置の存在位置をシンボル５１として表示し、また、このシンボル５１が移動したルート５２を地図上に表示する処理を行う。
【００３２】
同図に示す如く、前記ナビゲーション手段１３は、予め設定された目的地５３に至るルート５４を探索して地図データ上にライン状に表示する処理を行う。
【００３３】
前記ルート記憶手段１４は、前記位置取得手段５で設定されたインターバル毎に継続的に取得した位置データを、ライン状に繋ぎ合わせたデータとして前記マップマッチング手段１２に与えると同時に、このルートのデータを前記記憶部１１に記憶する処理を行う。
【００３４】
前記画像データ記憶手段１５は、前記半導体ドライブ６を介して取得した画像データを前記記憶部１１に記憶する処理を行うものであり、複数の画像データを記憶部１１に記憶した後には、図９に示す画像選択画面を液晶表示部３に表示し、この画面中において画像データの一覧から削除すべきものをオペレータが選択する処理を実現する。
【００３５】
前記リンク処理手段１６は、前記位置データを取得したタイミングを特定するタイミングデータと、前記画像データに付随するＥｘｉｆデータに含まれる撮影日時データとを比較し、一致するもの、又は、近似するもの同士を関連付けるリンクデータを自動的に生成して記憶する処理を行う。
【００３６】
前記Ｅｘｉｆデータは、前記デジタルカメラ２１で撮影された画像データに付随するものであり、その構造の一例を図１２のように表すことが可能である。このＥｘｉｆデータのメイン情報にはデジタルカメラのメーカー名と機種名とが記憶され、サブ情報として露出時間や画像幅や画像高さのデータの他に、オリジナル撮影日時が年、月、日、時間、分、秒の単位で記憶されており、前記リンク処理手段１６はオリジナル撮影日時のデータを撮影日時データとして取得すると共に、記憶部１１に位置データと併せて記憶されているタイミングデータを取得し、前述したように対比させる処理を行う。
【００３７】
前記転送制御手段１７は、位置データ、画像データ、リンクデータ、位置データに対応する地図データ、及び、シミュレーションプログラムを前記パーソナルコンピュータ３１にセットに転送する処理を行う。
【００３８】
本発明の画像記憶装置は、前記マップマッチング手段１２、ナビゲーション手段１３、ルート記憶手段１４、画像データ記憶手段１５、リンク処理手段１６、転送制御手段１７として半導体メモリ上に展開可能なソフトウエア（プログラム）を想定しているが、一部又は全てをロジック等のハードウエアで構成することも可能である。
【００３９】
前記処理ユニットＡの制御形態の概要を図３のフローチャートのように示すことが可能である。つまり、位置取得手段５において設定されたインターバルで位置データを取得し、この位置データと、この位置データを取得したタイミングデータとを保存する処理を行い、ナビゲーション処理を行う（＃０１、＃１００ステップ）。また、この＃０１ステップが処理ユニットＡの位置データ記憶処理に相当する。
【００４０】
次に、半導体ドライブ６に記憶メディアＭｓがセットされたことを判別した場合には（＃０２ステップ：Ｙｅｓ）、その記憶メディアＭｓに記憶されている画像データを読み出し、前記記憶部１１に対して新たに記憶する画像データ記憶処理を行い（＃２００ステップ）、更に、新たに記憶した画像データと前記位置データとを関連付けて記憶するリンクデータ生成処理を行う（＃３００ステップ）。
【００４１】
また、画像記憶装置の操作スイッチ２の操作により、再現を行う処理が選択された場合には（＃０３ステップ：Ｙｅｓ）、既に記憶している画像データを液晶表示部３に表示する再現処理を実行する（＃４００ステップ）。
【００４２】
また、画像記憶装置の操作スイッチ２の操作により、転送を行う処理が選択された場合には（＃０４ステップ：Ｙｅｓ）、前記記憶部１１に記憶されているデータを前記出力端子７から前記パーソナルコンピュータ３１に転送する処理が行われ（＃０５ステップ：本発明の出力処理）、これらの処理がリセットされるまで継続されるのである（＃０６ステップ）。
【００４３】
前記ナビゲーション処理（＃１００ステップ）と、画像データ記憶処理（＃２００ステップ）と、前記リンクデータ生成処理（＃３００ステップ）と、前記再現処理（＃４００ステップ）とは夫々ともサブルーチンの形でセットされ、夫々の処理形態を以下に説明する。
【００４４】
前記ナビゲーション処理ルーチン（＃１００ステップ）は、図４のフローチャートに示すように、前記位置取得手段５からの位置データ（経度データ及び緯度データ）を、予め設定されたインターバルで継続的に取得し（本発明の位置データ取得処理）、取得したタイミングデータ（日時を表すデータ）と併せて前記記憶部１１に記憶する（＃１０１ステップ）。このように設定されたインターバルで取得された複数の位置データでルートデータが構成されるものであり、このように複数の位置データを取得して記憶する処理がルート記憶手段１６による処理である。
【００４５】
また、前記位置取得手段５から位置データを取得すると、その位置データは前記マップマッチング手段１２に与えられ、このマップマッチング手段１２が、位置データに対応する地図データを前記記憶部１１から抽出し、図８に示す如く前記液晶表示部３に表示したナビゲーション画面に地図データを表示し、この地図データ上に前記位置データが存在するポイント（画像記憶装置の現在地）を該画像記憶装置のシンボル５１で表示し、この地図データ上に移動したルート５２（シンボル５１が移動した軌跡）を表示する（＃１０２ステップ）。
【００４６】
次に、目的地５３がセットされている場合には、図８に示す如く、この目的地５３の位置データ（経度データ及び緯度データ）を前記ナビゲーション手段１３に与え、前記液晶表示部３に表示されている地図データ中に表示可能であれば、ナビゲーション手段１３が、その目的地５３をシンボル５３で表示し、かつ、画像記憶装置の現在地を示すシンボル５１から目的地５３までのルートを抽出し、そのルート５４を地図データ上に表示する（＃１０３、＃１０４ステップ）。
【００４７】
前記画像データ記憶処理ルーチン（＃２００ステップ）は、図５のフローチャートに示すように、記憶メディアＭｓが前記半導体ドライブ６にセットされた場合には、前記記憶部１１に対して既に記憶されている画像データのファイル名と記憶メディアＭｓのファイル名とを比較し、記憶部１１に記憶されていない画像データのみを抽出して記憶部１１に記憶する。このように画像データを新たに記憶した場合には、図９に示す如く画像選択画面を液晶表示部３に表示し、新たに記憶した画像データをサムネイル画像として表示領域６０に対して優先的に一覧化して表示する（＃２０１、＃２０２ステップ）。この選択画面の表示領域６０に表示された画像データのうち、オペレータが不要と判断した画像データは、前記操作スイッチ２の操作で選択し、画面中の処理ボタン６１で削除対象に設定され、また、削除対象に設定されたものでも処理ボタン６１の操作で削除対象から解除できるものとなり、この設定の後に、操作スイッチ２の操作で画面中のＯＫボタン６２を操作することにより削除を行えるよう処理形態が設定されている（＃２０３〜＃２０５ステップ）。
【００４８】
前記リンクデータ生成処理ルーチン（＃３００ステップ：リンクデータ記憶処理を兼ねている）は、図６のフローチャートに示すように、前記リンク処理手段１６が前記記憶部１１に記憶されているタイミングデータを抽出すると共に、前記記憶部１１に記憶されている画像データに付随するＥｘｉｆデータから撮影日時データを抽出し、複数のタイミングデータと複数の撮影日時データのうち一致するもの、及び、近似するもの同士を関連付けるリンクデータを自動的に生成する（＃３０１、＃３０２ステップ）。このようにリンクデータを生成した後には、図１０に示す如く、液晶表示部３に確認画面を表示し、この画面中にルート５１を表示し（詳細は後述する）、更に、そのルート５１上に画像データの撮影ポイントＰ（シンボル５２と一致する：単数でも複数でも良い）を表示する（＃３０３ステップ）。
【００４９】
このように撮影ポイントＰが表示された場合に、オペレータが現実の撮影位置との誤差の有無を判断する。この誤差は位置取得手段５が生成するタイミングデータと、デジタルカメラ２１に内蔵した時計との時間的な誤差に起因するものであり、誤差がある場合には、撮影日時データの補正するに必要な操作を行うことにより、対応するデジタルカメラ２１で撮影された全ての画像データの撮影日時を一括して補正し（＃３０４〜＃３０６ステップ）、再度、リンクデータを生成し、ルート５１上に撮影ポイントＰを表示して確認を求め、誤差が解消された場合に処理が終了する。
【００５０】
つまり、前記＃３００ステップでは、図１０に示す確認画面を液晶表示部３に表示し、この画面中の地図データ上にルート５２と、「リンク位置」としての撮影ポイントＰとを表示し、この撮影ポイントＰに対してリンクデータで関連付けられた画像データを表示領域Ｗに表示する。また、撮影ポイントＰは操作スイッチ２の操作によってルート５１上において任意の方向に移動できるよう操作形態が設定され、前述した表示状態で、例えば、その画像データが撮影された本来の撮影ポイントＰｘから同図に示すように距離Ｘだけオフセットしていることをオペレータが確認した場合には、前記操作スイッチ２を操作してルート５１上を撮影ポイントＰを移動させて本来の撮影ポイントＰｘに一致させる操作を行う。このように撮影ポイントＰを移動させた場合には、移動量に対応する時間がシフト時間として表示部５６に数値として表示され、この数値を確認してＯＫボタン５７を操作することで終了する。これにより、複数の画像データの撮影時間を一括してシフト時間だけシフトさせる処理が行われる。
【００５１】
この処理を行う際には、オペレータが撮影ポイントＰを正確に記憶している画像データを基にして行うのが良く、前記リンクデータ生成処理ルーチン（＃３００ステップ）では、操作スイッチ２を操作することにより、前記表示領域Ｗに表示する画像データを任意に選択することも可能である。また、撮影ポイントＰと本来の撮影ポイントＰｘとの位置関係を適正に把握するために、地図データを拡大して表示することも可能である。特に、処理形態は説明しないが、この画像記憶装置では、複数のデジタルカメラ２１で撮影した画像データを記憶することも可能であり、複数のデジタルカメラ２１を用いた場合には、前記Ｅｘｉｆデータに含まれるメーカー名や機種に基づいてデジタルカメラを識別し、撮影ポイントＰと本来の撮影ポイントＰｘとの位置関係を補正する処理を、カメラ毎に行えるようにも構成されている。
【００５２】
尚、図６のフローチャートに示した処理では、誤差を解消するためにオペレータが撮影ポイントＰと本来の撮影ポイントＰｘとを地図上で確認するものであったが、シフト時間を数値で人為的に入力するよう処理形態を設定しても良い。ちなみに、リンクデータは位置データ（経度、緯度のデータ）と、画像データのファイル番号とを対比して記録した単純なデータ構造である。
【００５３】
前記再現処理（＃４００ステップ）は、図７のフローチャートに示すように処理が行われ、液晶表示部３に図１１に示す再現画面を表示する。処理が開始されると、記憶部１１に記憶された位置データを設定されたインターバルで位置データを抽出し、このように抽出した位置データに対応した地図データを再現画面中に表示し、地図データ上に初期位置に対応した位置データのシンボル５１を表示し、前記ルート記憶手段１４から抽出したルート５２地図データ上に表示し、このルート５２に沿ってシンボル５１が移動する形態での表示が行われる（＃４０１、＃４０２ステップ）。
【００５４】
また、位置データを更新する毎に、その位置データとリンクデータとを対比させ、位置データに一致するリンクデータが存在する場合には、そのリンクデータで関連付けられた画像データを記憶部１１から抽出して表示領域Ｗに表示する（＃４０４、＃４０５ステップ）。この再生画面中には、時間軸に沿った表示タイミングを示すインジケータ５８が表示され、操作スイッチ２の操作により、このインジケータ５８を操作した場合には、位置データが変更され、変更後の位置データを基準とした再生が開始され（＃４０６、＃４０７ステップ）、これらの制御は終了するまで継続する（＃４０８ステップ）。
【００５５】
つまり、この再現処理（＃４００ステップ）は前記シミュレーションプログラムが実行するものであり、再現画面には、最も初期の位置データに対応したシンボル５１と、これに対応する地図データが表示され、前記記憶部１１に記憶されている複数の位置データが記憶された順序（取得した順序）に従って予め設定されたインターバル（時間間隔）で読み出され、このように読み出した位置データを更新する形態での処理を行うことにより、その位置データに対応したシンボル５１が地図データ上を移動する形態で表示されるものとなる。そして、そのシンボル５１が撮影ポイントに達すると（位置データと一致するリンクデータが存在すると）、その撮影ポイント（位置データ）に関連付けられた画像データが、記憶部１１から抽出され、前記表示領域Ｗに表示する処理が行われるのである。
【００５６】
また、このようにシンボル５１が地図データ上を移動する形態で表示する場合には、インジケータ５８が時間軸に沿って移動し、インジケータ５８が時間経過を反映した位置に表示されるものとなり、操作スイッチ２の任意の操作によってインジケータ５８を移動させた場合には、そのインジケータ５８が示す位置から再現処理が再開されるのである。
【００５７】
図１１の再現画面ではルート５２を予め表示しているが、このルート５２は必ずしも表示する必要はなく、シンボル５１が移動した領域にのみルート５２を表示するよう表示形態を設定しても良い。
【００５８】
前記＃０５ステップでは、前記複数の位置データを保存した位置データフォルダ、複数の画像データを保存した画像データフォルダ、前記複数のリンクデータを保存したリンクデータフォルダ、シミュレーションプログラム夫々を前記記憶部１１から抽出すると共に、前記複数の位置データ（ルートデータと一致する）に対応したものを地図データのデータベースから抽出して保存して地図データフォルダを生成し、この地図データフォルダ、及び、前記位置データフォルダ、画像データフォルダ、前記リンクデータフォルダ、前記再現プログラムの夫々をパーソナルコンピュータ３１に転送するよう処理形態が設定されている。また、シミュレーションプログラムを実行する際にＢＧＭとして音楽を再生するよう処理形態を設定しても良く、この音楽データはパーソナルコンピュータ２５に予め記憶されているものを用いることや、ディスクドライブ３４に音楽用のコンパクトディスクをセットして用いることや、インターネットを介して取得しても良い。
【００５９】
そして、パーソナルコンピュータ３１ではデータが転送された後には、シミュレーションログラムを実行することにより、前記再生処理ルーチン（＃４００ステップ）における再現画面と同様の画面をパーソナルコンピュータ３１のディスプレイ３５に表示して地図データ上に撮影ポイントに対応したシンボル５１を表示しながら、その撮影ポイントで撮影した画像データを表示領域Ｗに表示する形態での再現処理を行えるのである。特に、このようにシミュレーションプログラムを実行する場合に、音楽をＢＧＭとして再生することが効果的である。また、パーソナルコンピュータ３１に予めインストールされているプリント用のプログラムで画像データフォルダに保存されている画像データを任意に指定し、プリンタ４１によりプリントペーパー４２にプリントすることも可能となる。
【００６０】
また、このパーソナルコンピュータ３１では、前記＃０５ステップでの処理で取得した前記地図データフォルダ、前記位置データフォルダ、画像データフォルダ、前記リンクデータフォルダ、前記再現プログラムの夫々をディスクドライブ３４によってＤＶＤ−ＲやＣＤ−Ｒ等の記憶メディアＭｄに記憶することも可能であり、このようにデータが保存された記憶メディアＭｄを他のパーソナルコンピュータにセットして再現プログラムを実行することにより、前記再生処理ルーチン（＃４００ステップ）における再現画面と同様の画面を、そのパーソナルコンピュータのディスプレイに表示して地図データ上に撮影ポイントに対応したシンボル５１を表示しながら、その撮影ポイントで撮影した画像データを表示領域Ｗに表示する形態での再現処理を行えるのである。
【００６１】
このように本発明の画像記憶装置は、旅行やトレッキングに個人が携行し、ナビゲーション画面を表示することにより、その画面中に表示されたシンボルから、その個人の位置を把握でき、移動したルート５２も把握できる。また、デジタルカメラ２１で風景やスナップ写真を撮影した場合には、任意のタイミングで画像データが記憶された記憶メディアＭｓを半導体ドライブ６セットするだけで、その記憶メディアＭｓに記憶された複数の画像データの要不要を確認しながら夫々の画像データを記憶部１１に記憶する処理が可能となり、この記憶の後には、記憶した画像データの撮影日時データと、位置データのタイミングデータとから、夫々の画像データが撮影ポイントに自動的に関連付けられる。
【００６２】
そして、画像データを記憶した後には、再現処理を選択することにより、液晶表示部３に再現画面を表示し、この再現画面において地図データとルート５２とを表示し、このルート上を進行する形態でのシンボル５１（位置データ）を移動させ、このシンボル５１が撮影ポイントに達する毎に表示領域Ｗに対して、撮影ポイントＰで撮影した画像データを表示する処理が行われ、撮影ポイントと画像データとを関連して状態で確認できるものとなっている。つまり、撮影ポイントを示しながら画像データを表示できるのである。
【００６３】
また、この画像記憶装置は、記憶部１１としてハードディスクを用いているので、フラッシュメモリと比較して安価でありながら記憶容量であり、デジタルカメラ２１に使用される記憶メディアＭｓに記憶される画像データ数が限界に達した場合にも、その画像データを画像記憶装置に記憶することで、その記憶メディアＭｓの全ての画像データを消去して、新たな撮影を行うことを可能にするものである。
【００６４】
更に、画像記憶装置に画像データを記憶した後には、その画像データと関連するデータとをパーソナルコンピュータ３１に転送することにより、パーソナルコンピュータ３１では、画像記憶装置において再現処理を行った場合と同様に、液晶表示部３に地図データ等とともに画像データを表示できるものとなる。このような再現処理が可能なデータをＤＶＤ−Ｒ等の記憶メディアＭｄに記憶することにより、この記憶メディアＭｄを電子アルバムと同様に取り扱うことが可能となり、この記憶メディアＭｄをパーソナルコンピュータ３１にセットすることによりディスプレイに対してシンボル５１が進行して撮影ポイントを間接的に示しながら、画像データを表示できるのである。
【００６５】
〔別実施の形態〕
本発明は、上記した実施の形態以外に以下のように構成しても良い。
【００６６】
（イ）地図データに代えて、位置データの地理上の位置を把握できるイラストや観光マップなどの概略的な地図を用いても良い。このようにイラストや模式図を用いた場合には、地図データに比べてデータ量を低減できるので、記憶部１１で使用可能な領域を拡大できる。特に、再現画面での表示はイラストなどの概略表示を用いた方がシステムの簡略化を行うことができる。
【００６７】
（ロ）位置データと画像データとを関連付ける場合に、実施形態で説明したようなＥｘｉｆデータを用いずに、例えば、画像データを記憶した記憶メディアＭｓを半導体ドライブ６にセットしたタイミング等、画像データを取得したタイミングにおける位置データに、その記憶メディアＭｓに記憶された画像データを関連付けるように処理形態を設定しても良い。つまり、デジタルカメラ２１で撮影する毎に、画像データを画像記憶装置に記憶する操作を行った場合には、位置データと多少の時間誤差を生ずるものであるが、トレッキングのように移動速度が低速である場合には実用上は問題のない関連付けを行えるのである。
【００６８】
（ハ）再現処理を行う場合に、ルート５２上に画像データが関連付けられた位置（撮影ポイントに一致する）にドットで表示することや、サムネイル形式の画像データで表示しておき、ルート５２に存在する画像データ数や撮影ポイントの位置を視覚的に把握できるよう表示形態を設定する。
【００６９】
（ニ）実施の形態では、デジタルカメラと画像記憶装置を分けた形態で説明を加えたが、発明の内容は、これに限定されることなく、例えば、画像記憶装置の一部又は全部をデジタルカメラに搭載したものであっても良い。
【図面の簡単な説明】
【００７０】
【図１】画像記憶装置と関連するデジタルカメラ等を示す斜視図
【図２】画像記憶装置のブロック回路図
【図３】画像処理装置の基本的な制御形態を示すフローチャート
【図４】ナビゲーション処理ルーチンのフローチャート
【図５】画像データ記憶処理ルーチンのフローチャート
【図６】リンクデータ生成処理ルーチンのフローチャート
【図７】再現処理ルーチンのフローチャート
【図８】ナビゲーション画面を示す図
【図９】画像選択画面を示す図
【図１０】確認画面を示す図
【図１１】再現画面を示す図
【図１２】Ｅｘｉｆデータの構造を示す図
【符号の説明】
【００７１】
３            表示部
５            位置取得手段
６            画像データ取得部
７            出力部
１１          データ記憶部、地図データ記憶部
１６          リンク処理手段
２１          デジタルカメラ
Ａ            処理ユニット
Ｍｓ          記憶メディア
【図１】
2006085588.tif 000003
【図２】
2006085588.tif 000004
【図３】
2006085588.tif 000005
【図４】
2006085588.tif 000006
【図５】
2006085588.tif 000007
【図６】
2006085588.tif 000008
【図７】
2006085588.tif 000009
【図８】
2006085588.tif 000010
【図９】
2006085588.tif 000011
【図１０】
2006085588.tif 000012
【図１１】
2006085588.tif 000013
【図１２】
2006085588.tif 000014